(57)【特許請求の範囲】
【請求項１】
支持機構で支持されたポンプ設備台板と、該ポンプ設備台板に設置されたポンプを備え、該ポンプ吐出口に可撓管を接続し、吐出圧力によってポンプ吐出口に掛かる推力と前記ポンプ設備台板の荷重を含む該ポンプ設備台板に加わる荷重の全重力の合成力が水平方向に対して所定角度となるように運転されるポンプ設備において、
前記ポンプ設備台板を支持する支持機構に前記合成力を前記所定角度とほぼ同角度方向の荷重として受ける防振装置を装備したことを特徴とするポンプ設備。
【請求項２】
請求項１に記載のポンプ設備において、
前記ポンプは吸込口が水槽内に開口し、吐出口が横方向に開口し、該吐出口に可撓管を接続した構造の立型ポンプであり、該立型ポンプが設置された前記ポンプ設備台板は前記支持機構で前記水槽上部の床に設置し、
前記防振装置を１個以上前記支持機構に装備したことを特徴とするポンプ設備。
【発明の詳細な説明】
【０００１】
【発明の属する技術分野】
本発明は、清水・汚水・その他の液体を移送・排水・加圧する立型のポンプを有するポンプ設備に関し、ポンプの運転に伴って生じる振動が外部に伝搬して振動公害或いは振動伝搬が原因となって生じる騒音公害を防止するのに好適なポンプ設備に関するものである。
【０００２】
【従来の技術】
▲１▼従来、ポンプの振動が吐出配管を経由して外部に伝搬するのを防止するために可撓管を接続するものがある。この場合、吐出口の口径の大きいポンプでは吐出圧力が低くても可撓管の径が大きいので水圧によってポンプ吐出口に掛かる推力も大きくなり、ポンプ重量を支持する防振装置でこの推力を受けることが困難なので、通常は可撓管を使用しない。
【０００３】
▲２▼また、ポンプ機場を出た所でポンプから吐出配管に伝わっている機械振動の伝搬を絶縁するため吐出配管途中に可撓管を挿入するものもある。この場合、可撓管部に生じる推力は可撓管前後の管にフランジ状の突起を設け、管を防護コンクリートで固め管を埋設した箇所の土圧で受けるようにしている。
【０００４】
▲３▼また、ポンプを水槽上部の床に固定している場合は、ポンプ及び駆動機から発生する機械振動が床を経由してポンプ機場の壁に伝搬し、ポンプ機場の壁の振動で騒音を発生することがある。この場合には、ポンプ機場の外壁に防音パネルを取り付けて、騒音を機場境界線で許容値以下にしている。
【０００５】
【発明が解決しようとする課題】
本発明は振動・騒音に対する規制が厳しい現状において、従来のポンプ機場の騒音・振動対策に比べて大幅に安い費用で、ポンプの運転に伴って生じる振動が外部に伝搬して振動公害或いは振動伝搬が原因となって生じる騒音公害を防止することができるポンプ設備を提供することを目的とする。
【０００６】
【課題を解決するための手段】
上記課題を解決するため請求項１に記載の発明は、支持機構で支持されたポンプ設備台板と、該ポンプ設備台板に設置されたポンプを備え、該ポンプ吐出口に可撓管を接続し、吐出圧力によってポンプ吐出口に掛かる推力とポンプ設備台板の荷重を含む該ポンプ設備台板に加わる荷重の全重力の合成力が水平方向に対して所定角度となるように運転されるポンプ設備において、ポンプ設備台板を支持する支持機構に前記合成力を所定角度とほぼ同角度方向の荷重として受ける防振装置を装備したことを特徴とする。
【０００７】
上記のように、ポンプ設備台板を支持する支持機構にポンプ吐出口に掛かる推力と全重力の合成力を該合成力の水平方向に対する所定角度方向とほぼ同角度の荷重として受ける防振装置を装備したので、ポンプ設備のポンプ室の床・壁・配管に伝わる振動を絶縁でき、ポンプ機場境界線における騒音・振動を許容値以下にすることができる。
【０００８】
また、請求項２に記載の発明は、請求項１に記載のポンプ設備において、ポンプは吸込口が水槽内に開口し、吐出口が横方向に開口し、該吐出口に可撓管を接続した構造の立型ポンプであり、該立型ポンプが設置されたポンプ設備台板は支持機構で前記水槽上部の床に設置し、防振装置を１個以上支持機構に装備したことを特徴とする。
【０００９】
上記のように、１個以上の防振装置を支持機構に装備するだけで、吐出口に可撓管を接続した構造の立型ポンプを有するポンプ設備のポンプ室の床・壁・配管に伝わる振動を絶縁でき、ポンプ機場境界線における騒音・振動の許容値以下にすることができる。
【００１０】
【発明の実施の形態】
以下、本発明の実施の形態例を図面に基づいて説明する。図１は本発明に係るポンプ設備の構成例を示す図である。図１において、３は吸込口１０が水槽２０内に開口する立型のポンプで、該ポンプ３の吐出口４は横方向に開口している。１はポンプ３を駆動するポンプ駆動用電動機であり、該ポンプ駆動用電動機１の回転軸１−１とポンプ３の回転軸３−１は軸継手２で結合され、ポンプ駆動用電動機１の回転駆動力はポンプ３に伝達されるようになっている。７はポンプ設備台板であり、該ポンプ設備台板７でポンプ３及びポンプ駆動用電動機１や吐出配管６等の全重量を支持するようになっている。
【００１１】
ポンプ設備台板７は図２に示すように角形（四角形）でもよく、また図３のように円形でもよい。ポンプ設備台板７を含むポンプ３、ポンプ駆動用電動機１及び吐出配管６等の全重量が水槽２０の上部の床１３に設けた複数個（図２の場合は６個、図３の場合は４個）の補助防振装置８で支持される。また、水槽２０の上部の床１３上の所定の位置には防振装置受台１８が設けられ、該防振装置受台１８とポンプ設備台板７の間に２個の防振装置９が設けられている。
【００１２】
上記構成のポンプ装置において、ポンプ駆動用電動機１を起動してポンプ３を運転すると、水槽２０内の水Ｗはポンプ３の吸込口１０から吸込まれ、吐出口４、可撓管５を通って、吐出配管６に流れ込む。これにより吐出圧が掛かると吐出配管６に設けられたフランジ１２及びその近傍の吐出配管６が防護コンクリート１１で固定されているので、可撓管５の箇所で生じた推力がポンプ吐出口４に加わる。
【００１３】
補助防振装置８は垂直荷重しか受けないので、該推力で水平方向に移動するが、これを防振装置９が受ける。該防振装置９は可撓管５によって生じる推力と、ポンプ設備台板７を含むポンプ３、ポンプ駆動用電動機１及び吐出配管６等の全荷重の合成力を垂直荷重として受ける角度に設置してある。
【００１４】
図４は上記防振装置９が推力と全荷重の合成力を垂直荷重として受ける状態を示す図である。図４で吐出圧による推力を１４、ポンプ等の全重量を１５、推力１４と全重量１５の合成力を１６、合成力１６と水平方向とがなす角度を１７、防振装置９の水槽２０の上部の床１３に対する設置角度を１９で示している。
【００１５】
合成力１６の水平に対する角度１７と防振装置９の水槽２０の上部の床１３に対する設置角度１９をほぼ同じ値に設置しておくので、ポンプ３の吐出口４に掛かる推力を防振装置９で受けることができる。ポンプ設備台板７に加わる重量を垂直荷重として受ける補助防振装置８はポンプ停止時等に対処する補助的な防振装置である。ポンプ３の吐出口４には可撓管を接続しているので、吐出配管６への振動は可撓管５で絶縁される。
【００１６】
図５は防振装置の詳細を示す図である。図示するように、ポンプ設備台板７に防振受枠２１を設けると共に、床１３に防振装置受台９を設け、防振ゴムで構成された防振装置９の両端をこの防振受枠２１と防振装置受台１８に取付け固定している。
【００１７】
図６は補助防振装置の詳細を示す図である。図示するように、防振ゴム又は防振スプリングで構成される補助防振装置８の両端をフランジ８−１及び８−２を介して、ポンプ設備台板７と床１３に取付け固定している。
【００１８】
従来、上記のようにポンプ３の吸込口１０が水槽２０内に開口し、吐出口４が横方向に開口する立型ポンプ設備では、ポンプ３、ポンプ駆動用電動機１及び吐出配管６等の全重量が掛かるポンプ設備台板７を水槽２０の上部の床１３に設置するため、吐出圧による推力を受ける防振装置を設けることが難しく、ポンプ３の振動伝搬や振動に起因する騒音についての対策はポンプ機場の外に設置しなければならないことが多く、規模が大きくなり、対策費用も高額となっていた。
【００１９】
本発明のポンプ設備では上記のように、水槽２０の上部の床１３に防振装置受台１８を設置し、該防振装置受台１８とポンプ設備台板７の間に吐出圧力によってポンプ３の吐出口４に掛かる推力１４とポンプ３等の全重量１５の合成力１６をほぼ垂直荷重として受ける防振装置９を設ける構成としたので、どのようなポンプ機場でも安価に防振装置９を設置でき、ポンプ室の床・壁・配管に伝わる振動を絶縁できる。
【００２０】
【発明の効果】
以上、説明したように各請求項に記載の発明は下記のような優れた効果が得られる。
【００２１】
請求項１に記載の発明によれば、ポンプ設備台板を支持する支持機構にポンプ吐出口に掛かる推力と全重力の合成力を該合成力の水平方向に対する所定角度方向とほぼ同角度の荷重として受ける防振装置を装備したので、ポンプ設備のポンプ室の床・壁・配管に伝わる振動を絶縁でき、ポンプ機場境界線における騒音・振動を許容値以下にすることができる。
【００２２】
請求項２に記載の発明によれば、１個以上の防振装置を支持機構に装備するだけで、吐出口に可撓管を接続した構造の立型ポンプを有するポンプ設備のポンプ室の床・壁・配管に伝わる振動を絶縁でき、ポンプ機場境界線における騒音・振動の許容値以下にすることができる。
【図面の簡単な説明】
【図１】本発明に係るポンプ設備の構成例を示す図である。
【図２】本発明に係るポンプ設備のポンプ設備台板の構成例を示す図である。
【図３】本発明に係るポンプ設備のポンプ設備台板の構成例を示す図である。
【図４】本発明に係るポンプ設備の防振装置が推力と全荷重の合成力を垂直荷重として受ける状態を説明するための図である。
【図５】本発明に係るポンプ設備の防振装置の詳細を示す図である。
【図６】本発明に係るポンプ設備の補助防振装置の詳細を示す図である。
【符号の説明】
１            ポンプ駆動用電動機
２            軸継手
３            ポンプ
４            吐出口
５            可撓管
６            吐出配管
７            ポンプ設備台板
８            補助防振装置
９            防振装置
１０          吸込口
１１          防護コンクリート
１２          フランジ
１３          床
１８          防振装置受台
２０          水槽
２１          防振受枠
【図１】
0003983929.tif 000002
【図２】
0003983929.tif 000003
【図３】
0003983929.tif 000004
【図４】
0003983929.tif 000005
【図５】
0003983929.tif 000006
【図６】
0003983929.tif 000007